(57)【要約】【課題】電子マネーの入金を行うとともに電子マネー残高が記憶されたＩＣチップを新規に発行することの可能な電子マネー入金機を提供する。【解決手段】ＩＣチップを設けたＩＣカード１０を収容する収容部１１０と、収容部１１０内のＩＣカード１０を外部に搬出する搬出部１１１と、ＩＣカード１０の発行処理を指示するための発行ボタン１０４と、発行ボタン１０４を用いて発行処理が指示されると、収容部１１０内のＩＣカード１０を搬出部１１１によって搬出するとともに、搬出されたＩＣカード１０の電子マネー残高に投入貨幣の金額をリーダライタ１０８によって加算する制御部１１４とを備えたので、電子マネーの入金を行うとともに電子マネー残高が記憶されたＩＣチップを新規に発行することができる。従って、電子マネーサービスの新規利用者の利便性を向上させることができる。【選択図】図２
2007249416.tif 000002
【特許請求の範囲】
【請求項１】
電子マネーサービスで用いられる電子マネーの残高が記憶されたＩＣチップに対してデータの読み書きを行うリーダライタを備え、投入された貨幣の金額を、ＩＣチップの電子マネー残高にリーダライタを介して加算するようにした電子マネー入金機において、
前記ＩＣチップを設けた媒体を収容する収容部と、
収容部内の媒体を外部に搬出する搬出手段と、
ＩＣチップの発行処理を指示するための発行指示手段と、
発行指示手段を用いて発行処理が指示されると、収容部内の媒体を搬出手段によって搬出するとともに、搬出された媒体の電子マネー残高に投入貨幣の金額をリーダライタによって加算する制御手段とを備えた
ことを特徴とする電子マネー入金機。
【請求項２】
前記搬出手段を、収容部から搬出された媒体がリーダライタとの通信可能な範囲内に落下するように設けた
ことを特徴とする請求項１記載の電子マネー入金機。
【請求項３】
前記搬出手段によって搬出された媒体をリーダライタとの通信可能な範囲内で保持する保持部を外部に面して設けるとともに、
保持部の周囲の所定範囲を開閉可能な開閉部を設け、
前記制御手段を、発行指示手段を用いて発行処理が指示されたときに開閉部を閉じるとともに、保持部に保持された媒体内の電子マネー残高に投入貨幣の金額を加算した後に開閉部を開くように構成した
ことを特徴とする請求項１または２記載の電子マネー入金機。
【発明の詳細な説明】
【技術分野】
【０００１】
本発明は、例えば電子乗車券や電子決済等に用いられる電子マネーサービスにおいて、電子マネーの残高が記憶されたＩＣチップに対して投入貨幣の金額を電子マネー残高に加算する電子マネー入金機に関するものである。
【背景技術】
【０００２】
従来、この種の電子マネー入金機として、電子マネーサービスで用いられる電子マネーの残高が記憶されたＩＣチップに対してデータの読み書きを行うリーダライタを備え、投入された貨幣の金額を、ＩＣチップの電子マネー残高にリーダライタを介して加算するようにしたものが知られている（例えば特許文献１参照）。
【０００３】
この電子マネー入金機では、電子マネー残高が記憶されたＩＣチップを設けたＩＣカードに対して投入金額を電子マネー残高に加算することにより、ＩＣカードの電子マネー残高を補充することができる。
【特許文献１】特開２００３−３６４６６号公報
【発明の開示】
【発明が解決しようとする課題】
【０００４】
しかしながら、前記従来例では、利用者がＩＣカードを所持している場合にのみ電子マネーの入金を行うことができるので、例えば新規に電子マネーサービスを利用したい場合には電子マネーの残高が記憶されたＩＣカードを別途用意しなければならず、電子マネーサービスの新規利用者の利便性に欠けるという問題点があった。
【０００５】
本発明は前記問題点に鑑みてなされたものであり、その目的とするところは、電子マネーの入金を行うとともに電子マネー残高が記憶されたＩＣチップを新規に発行することの可能な電子マネー入金機を提供することにある。
【課題を解決するための手段】
【０００６】
本発明は、前記目的を達成するために、電子マネーサービスで用いられる電子マネーの残高が記憶されたＩＣチップに対してデータの読み書きを行うリーダライタを備え、投入された貨幣の金額を、ＩＣチップの電子マネー残高にリーダライタを介して加算するようにした電子マネー入金機において、前記ＩＣチップを設けた媒体を収容する収容部と、収容部内の媒体を外部に搬出する搬出手段と、ＩＣチップの発行処理を指示するための発行指示手段と、発行指示手段を用いて発行処理が指示されると、収容部内の媒体を搬出手段によって搬出するとともに、搬出された媒体の電子マネー残高に投入貨幣の金額をリーダライタによって加算する制御手段とを備えている。
【０００７】
これにより、電子マネー残高が記憶されたＩＣチップを設けた媒体が外部に搬出されることから、電子マネーの入金を行うとともに電子マネー残高が記憶されたＩＣチップを新規に発行することができる。
【発明の効果】
【０００８】
本発明によれば、電子マネーの入金を行うとともに電子マネー残高が記憶されたＩＣチップを新規に発行することができるので、例えば新規に電子マネーサービスを利用したい場合でも電子マネーの残高が記憶されたＩＣカードを別途用意する必要がなく、電子マネーサービスの新規利用者の利便性を向上させることができる。
【発明を実施するための最良の形態】
【０００９】
図１乃至図９は本発明の一実施形態を示すもので、図１は電子マネー入金機の斜視図、図２はカード載置部の側面断面図、図３は電子マネー入金機の機能構成図、図４は電子マネーの入金処理を示すフロー図、図５はＩＣカードの発行処理を示すフロー図、図６、図７、図８及び図９はＩＣカード発行時の動作を示す側面断面図である。
【００１０】
この電子マネー入金機は、電子マネーサービスで用いられる電子マネーの残高が記憶されたＩＣチップを設けた媒体としてのＩＣカード１０に対して、投入貨幣の金額を加算する装置である。
【００１１】
ＩＣカード１０には、後述する電子マネー入金機のリーダライタ１０８との間で非接触で信号を送受信するコイル状のアンテナと、アンテナに接続されたＩＣチップとが埋設されている。このＩＣチップには、ＥＥＰＲＯＭ等の書き換え可能な記憶素子によって構成された記憶部（図示省略）が設けられており、記憶部には、電子マネーサービスの電子マネー残額が記憶されている。ＩＣカード１０は、リーダライタ１０８から受信したＩＣカード用コマンドに応じて電子マネー残高の送信、または電子マネー残高の更新を行う。
【００１２】
電子マネー入金機は、前面が開口した入金機本体１００と、入金機本体１００の前面開口部を開閉する外扉１０１とを備えている。外扉１０１の前面には、各種情報を表示する表示部１０２と、電子マネー残高の補充を行うための入金ボタン１０３と、電子マネー残高が記憶されたＩＣカード１０の発行処理を指示するための発行指示手段としての発行ボタン１０４と、電子マネーの入金額を入力するための入金額指定ボタン１０５と、貨幣を投入するための貨幣投入口１０６と、前方に開口したカード載置部１０７とが設けられている。
【００１３】
表示部１０２は液晶ディスプレイであり、ＩＣカード１０の電子マネー残高や投入金額等の情報を表示する。また、入金ボタン１０３は、押下されると所定の入金処理信号を後述の制御部１１４に送信し、発行ボタン１０４は、押下されると所定の発行処理信号を制御部１１４に送信する。
【００１４】
入金額指定ボタン１０５は複数のボタンで構成されており、各ボタンには「１０００円」や「３０００円」等のようにそれぞれ異なった金額が割り当てられている。入金額指定ボタン１０５の任意のボタンが押下されると、このボタンに応じた金額が入金額として入力される。
【００１５】
カード載置部１０６には、図２に示すように、ＩＣカード１０を載置するための載置面１０６ａと、ＩＣカード１０に対してデータの読み書きを行うリーダライタ１０８と、ＩＣカード１０を保持する保持部１０９と、複数のＩＣカード１０を収容する収容部１１０と、収容部１１０内のＩＣカード１０を外部に搬出する搬出手段としての搬出部１１１と、カード載置部１０６を開閉する開閉部１１２とが設けられている。載置面１０６ａの上端側は後方に傾斜するように形成されており、ＩＣカード１０を斜めに立てかけることが可能である。
【００１６】
リーダライタ１０８は、載置面１０６ａの後面下端側に設けられており、載置面１０６ａに載置されたＩＣカード１０との間で非接触でデータの送受信を行う。また、リーダライタ１０８には、ＩＣカード１０との間でデータの送受信を行うためのアンテナが設けられている。
【００１７】
保持部１０９は、上面が開口した形状をなし、載置面１０６ａの前面下端側にかつ外部に面して設けられている。保持部１０９は、載置面１０６ａの斜面に沿って降下するＩＣカード１０を上面開口部から受容して保持する。また、保持部１０９は、載置面１０６ａを介してリーダライタ１０８に接するように設けられており、ＩＣカード１０をリーダライタ１０８との通信可能な範囲内で保持するようになっている。
【００１８】
収容部１１０は載置面１０６ａの前面上端に設けられており、内部に複数のＩＣカード１０を上下方向に積み重ねて収容する。また、収容部１１０の前面下端側には、ＩＣカード１０を一枚ずつ排出する排出口１１０ａが設けられている。搬出部１１１は収容部１１０内の底面に設けられており、周知のローラ１１１ａと、ローラ１１１ａに連結された搬出用モータ１１１ｂとから構成されている。ローラ１１１ａは搬出用モータ１１１ｂによって回転し、ローラ１１１ａに接触するＩＣカード１０を、排出口１１０ａを介して外部に移動させる。
【００１９】
開閉部１１２はカード載置部１０６の前面側上部に設けられており、カード載置部１０６の前面開口部を開閉可能な板状部材１１２ａと、周知のローラ１１２ｂと、ローラ１１２ｂに連結されたモータ１１２ｃとから構成されている。板状部材１１２ａは、カード載置部１０６の幅寸法に亘って上下方向に延びるように形成されており、板状部材１１２ａの後面がローラ１１２ｂに接触している。ローラ１１２ｂは、モータ１１２ｃによって回転し、板状部材１１２ａを上下方向に移動させる。なお、板状部材１１２ａが下方に移動することにより、保持部１０９の周囲の所定範囲、即ちカード載置部１０７の内部が閉鎖され、板状部材１１２ａが上方に移動することにより、カード載置部１０７の内部が外部に開放される。
【００２０】
また、入金機本体１００には、投入された貨幣の正当性及び金額を識別する貨幣識別装置１１３と、上記の各機器の制御を行う制御部１１４が設けられている。貨幣識別装置１１３は、貨幣投入口１０７に投入された貨幣の正当性の識別処理を行い、投入貨幣の正当性を識別した場合に投入貨幣の金額を制御部１１４に送信するとともに投入貨幣を収容する。
【００２１】
制御部１１４はＲＯＭ、ＲＡＭ及びＣＰＵ等を備え、図３に示すように入金ボタン１０３、発行ボタン１０４、金額指定ボタン１０５または貨幣識別装置１１３から受信した信号に基づいて表示部１０２、リーダライタ１０８、搬出用モータ１１１ｂまたはモータ１１２ｃを制御することにより、ＩＣカード１０に対する電子マネーの入金処理及びＩＣカード１０の発行処理を行う。なお、これらの処理の具体的な内容については後に詳説する。
【００２２】
次に、電子マネーの入金処理に係る動作について図４のフロー図を参照して説明する。まず、制御部１１４は、入金ボタン１０３が押下される（ステップＳ１）ことにより入金ボタン１０３から入金処理信号を受信すると、入金額を指定するように案内するメッセージを表示部１０２に表示させる。そして、入金額指定ボタン１１２を用いて入金額が入力されると（ステップS２）、制御部１１４は、ＩＣカード１０をカード載置部１０７に載置するように案内するメッセージを表示部１０２に表示させる。この場合、制御部１１４は、ＩＣカード１０から応答信号を受信するまでリーダライタ１０８に所定の応答要求信号を送信させる。なお、本実施形態では、応答信号としてＩＣカード１０固有のカードＩＤ（図示省略）を用いている。次に、利用者がＩＣカード１０を載置面１０７ａに載置することにより、ＩＣカード１０が保持部１０９に保持されると（ステップＳ３）、制御部１１４は、ＩＣカード１０から応答信号を受信した後に、カード載置部１０７を閉鎖する（ステップＳ４）。具体的には、制御部１１４は、開閉部１１２のモータ１１２ｃを駆動させて板状部材１１２ａを下方に移動させる。
【００２３】
次いで、貨幣投入口１０６に貨幣が投入されると（ステップＳ５）、貨幣識別装置１１３は、投入貨幣の正当性及び金額の識別処理を行う（ステップＳ６）。この場合、貨幣識別装置１１３は、投入貨幣の正当性を識別した場合に、投入貨幣の金額情報を制御部１１４に送信するとともに投入貨幣を収容する。そして、制御部１１４は、貨幣識別装置１1３から金額情報を受信すると、金額情報を初期値０の投入金額に加算することにより、投入貨幣の金額を計数する（ステップＳ６）。そして、制御部１１４は、投入金額がステップＳ２において入力された入金額以上になるまで、ステップＳ５以降の処理を繰り返させ（ステップＳ７）、投入金額が入金額以上となった場合に電子マネーの入金を行う（ステップＳ８）。具体的に説明すると、制御部１１４は、ＩＣカード１０の電子マネー残高に入金額の加算を行うＩＣカード用コマンドを生成するとともに、このＩＣカード用コマンドをリーダライタ１０８を介してＩＣカード１０に送信する。一方、ＩＣカード１０は、リーダライタ１０８から前記ＩＣカード用コマンドを受信すると、入金額を電子マネー残高に加算する。このようにして、ＩＣカード１０に電子マネーが入金される。また、ＩＣカード１０は、電子マネー残高に入金額を加算した後に、所定の完了信号をリーダライタ１０８に送信する。
【００２４】
次に、制御部１１４は、ＩＣカード１０から完了信号を受信すると、開閉部１１２のモータ１１２ｃを駆動させて板状部材１１２ａを上方に移動させることによりカード載置部１０７を開放する（ステップＳ９）。これにより、電子マネーが入金されたＩＣカード１０を取り出すことが可能となる。
【００２５】
なお、上記フローでは説明を省略したが、制御部１１４は、ＩＣカード１０から応答信号を受信した後に電子マネー残高を読出すためのＩＣカード用コマンドをＩＣカード１０に送信し、ＩＣカード１０から受信した電子マネー残高を表示部１０２に表示させてもよい。
【００２６】
次に、ＩＣカード１０の発行処理について図５のフロー図と図６乃至図９とを参照して説明する。まず、制御部１１４は、発行ボタン１０４が押下される（ステップＳ１１）ことにより発行ボタン１０４から発行処理信号を受信すると、入金額を指定するように案内するメッセージを表示部１０２に表示させる。そして、入金額指定ボタン１１２を用いて入金額が入力されると（ステップS１２）、制御部１１４は、貨幣を投入するように案内するメッセージを表示部１０２に表示させる。次に、貨幣が投入されると（ステップＳ１３）、制御部１１４は、投入金額を計数して（ステップＳ１４）、投入金額が入金額以上になるまでステップＳ１３以降の処理を繰り返す（ステップＳ１５）。なお、ステップＳ１３乃至ステップＳ１５の処理内容は、前述したステップＳ５乃至ステップＳ７の処理内容と同様である。
【００２７】
次いで、投入金額が入金額以上となった場合には、制御部１１４は、図６に示すように開閉部１１２のモータ１１２ｃを駆動させて板状部材１１２ａを下方に移動させることにより、カード載置部１０７を閉鎖する（ステップＳ１６）。このとき、制御部１１４は、ＩＣカード１０から応答信号を受信するまでリーダライタ１０８に応答要求信号を送信させる。そして、制御部１１４は、図７に示すように搬出部１１０の搬出用モータ１１１ｂを駆動させて収容部１１０に収容されたＩＣカード１０を前方に移動させることにより、ＩＣカード１０を搬出する（ステップＳ１７）。この場合、ＩＣカード１０は、収容部１１０の排出口１１０ａから外部に搬出されると、図８に示すように載置面１０７ａに沿って落下し、保持部１０９に保持される。
【００２８】
そして、制御部１１４は、保持部１０９に保持されたＩＣカード１０から応答信号を受信すると、電子マネーの入金を行って（ステップＳ１８）、カード載置部１０７を開放する（ステップＳ１９）。なお、ステップＳ１８及びステップＳ１９の処理内容は、前述したステップＳ８及びステップＳ９の処理内容と同様である。このようにして、電子マネーが入金されたＩＣカード１０は、図９に示すように保持部１０９から取り出すことが可能となる。
【００２９】
このように、本実施形態の電子マネー入金機によれば、ＩＣチップを設けたＩＣカード１０を収容する収容部１１０と、収容部１１０内のＩＣカード１０を外部に搬出する搬出部１１１と、ＩＣカード１０の発行処理を指示するための発行ボタン１０４と、発行ボタン１０４を用いて発行処理が指示されると、収容部１１０内のＩＣカード１０を搬出部１１１によって搬出するとともに、搬出されたＩＣカード１０の電子マネー残高に投入貨幣の金額をリーダライタ１０８によって加算する制御部１１４とを備えたので、電子マネー残高が記憶されたＩＣカード１０が外部に搬出されることから、電子マネーの入金を行うとともに電子マネー残高が記憶されたＩＣチップを新規に発行することができる。従って、例えば新規に電子マネーサービスを利用したい場合にはＩＣカード１０を容易に取得することができ、電子マネーサービスの新規利用者の利便性を向上させることができる。
【００３０】
また、搬出部１１１を、収容部１１０から搬出されたＩＣカード１０がリーダライタ１０８との通信可能な範囲内に落下するように設けたので、ＩＣカード１０を収容部１１０からリーダライタ１０８まで搬送する必要がないことから、搬出部１１１の構成を簡易にすることができ、搬出部１１１に係る製造コストを低減させることができる。
【００３１】
さらに、搬出部１１１によって搬出されたＩＣカード１０をリーダライタ１０８との通信可能な範囲内で保持する保持部１０９を外部に面して設けるとともに、保持部１０９の周囲の所定範囲を開閉可能な開閉部１１２を設け、制御部１１４を、発行ボタン１０４を用いて発行処理が指示されたときに開閉部１１２の板状部材１１２ａを閉じるとともに、保持部１０９に保持されたＩＣカード１０内の電子マネー残高に投入貨幣の金額を加算した後に板状部材１１２ａを開くように構成したので、ＩＣカード１０内の電子マネー残高に投入貨幣の金額を加算する際にＩＣカード１０が保持部１０９から取り出されることがなく、ＩＣカード１０に対する電子マネーの入金処理を確実に行うことができる。
【００３２】
なお、上記実施形態では、ＩＣチップを設けた媒体としてＩＣカード１０を用いて説明したが、他の媒体として携帯電話等の携帯端末を用いてもよい。
【図面の簡単な説明】
【００３３】
【図１】本発明の一実施形態に係る電子マネー入金機の斜視図
【図２】カード載置部の側面断面図
【図３】電子マネー入金機の機能構成図
【図４】電子マネーの入金処理を示すフロー図
【図５】ＩＣカードの発行処理を示すフロー図
【図６】ＩＣカード発行時の動作を示す側面断面図
【図７】ＩＣカード発行時の動作を示す側面断面図
【図８】ＩＣカード発行時の動作を示す側面断面図
【図９】ＩＣカード発行時の動作を示す側面断面図
【符号の説明】
【００３４】
１０…ＩＣカード、１０４…発行ボタン、１０９…保持部、１１０…収容部、１１１…搬出部、１１２…開閉部、１１４…制御部。
【図１】
2007249416.tif 000003
【図２】
2007249416.tif 000004
【図３】
2007249416.tif 000005
【図４】
2007249416.tif 000006
【図５】
2007249416.tif 000007
【図６】
2007249416.tif 000008
【図７】
2007249416.tif 000009
【図８】
2007249416.tif 000010
【図９】
2007249416.tif 000011